(57)【要約】【課題】  用紙に画像を形成する前の段階で用紙の加工により削られる画像を確認する。【解決手段】  デジタル複写機は、複数ページ分の画像データを入力するための画像読取部と、入力された画像データに基づいて、用紙に画像を形成するためのプリントデータを生成する出力画像処理部とを備えており、ステープルまたはパンチ穴加工処理等の後処理指定があると（Ｓ０３）、複数頁それぞれについて、画像位置と加工位置との重なりを判定し（Ｓ０６）、両位置が重なると判定されたページの加工状態画像を表示する（Ｓ０８）。このため、用紙に画像を形成する前の段階で用紙の加工により削られる画像を確認することができる。【選択図】        図３
2007034444.tif 000002
【特許請求の範囲】
【請求項１】
複数ページ分の画像データを入力するための入力手段と、
前記入力された画像データに基づいて、用紙に画像を形成するためのプリントデータを生成するプリントデータ生成手段と、
用紙を加工する指示を受付ける加工指示受付手段と、
複数ページそれぞれについて、前記プリントデータにより定まる用紙に形成される画像の画像位置と、前記加工指示により定まる用紙の加工位置との重なりを判定する判定手段と、
前記判定手段により両位置が重なると判定されたページの画像が形成された用紙であって、前記加工位置が加工された用紙の加工状態画像を表示する表示手段とを備えた、画像処理装置。
【請求項２】
前記表示手段は、前記加工状態画像の前記加工位置近傍を拡大して表示する拡大表示手段を含む、請求項１に記載の画像処理装置。
【請求項３】
前記表示手段は、前記判定手段により両位置が重なると判定されたページが複数あるときは、該複数のページを順に表示する個別表示手段を含む、請求項１に記載の画像処理装置。
【請求項４】
前記表示手段は、前記判定手段により両位置が重なると判定されたページが複数あるときは、該複数のページを一度に表示する一覧表示手段を含む、請求項１に記載の画像処理装置。
【請求項５】
前記判定手段により両位置が重なると判定された場合に、前記画像位置と前記加工位置とを相対的に移動させる位置変更手段をさらに備え、
前記表示手段は、前記位置変更手段を能動化させるための指示を受付ける回避操作キーを表示する回避操作キー表示手段を含む、請求項１に記載の画像処理装置。
【請求項６】
前記位置変更手段は、前記プリントデータ生成手段に用紙に形成する画像の位置を変更させる画像形成位置変更手段と、
前記画像データの解像度を低くする解像度変換手段と、
前記加工指示により定まる加工位置を変更させる加工位置変更手段とを含む、請求項５に記載の画像処理装置。
【請求項７】
前記位置変更手段は、前記プリントデータ生成手段に用紙に形成する画像の位置を変更させる画像形成位置変更手段と、
前記画像データの解像度を低くする解像度変換手段と、
前記加工指示により定まる加工位置を変更させる加工位置変更手段とを含み、
前記回避操作キー表示手段は、前記画像データに応じて、前記画像形成位置変更手段、前記解像度変換手段および前記加工位置変更手段のうちから少なくとも１つを抽出する抽出手段を含み、
前記抽出された手段を能動化させるための指示を受付ける回避操作キーを選択可能に表示する、請求項５に記載の画像処理装置。
【請求項８】
前記判定手段は、前記画像位置と前記加工位置との重なり量を検出する検出手段をさらに備え、
前記位置変更手段は、前記プリントデータ生成手段に用紙に形成する画像の位置を変更させる画像形成位置変更手段と、
前記画像データの解像度を低くする解像度変換手段と、
前記加工指示により定まる加工位置を変更させる加工位置変更手段とを含み、
前記回避操作キー表示手段は、前記検出された重なり量に応じて、前記画像形成位置変更手段、前記解像度変換手段および前記加工位置変更手段のうちから少なくとも１つを抽出する抽出手段を含み、
前記抽出された手段を能動化させるための指示を受付ける回避操作キーを選択可能に表示する、請求項５に記載の画像処理装置。
【請求項９】
画像データを入力するための入力手段と、
前記入力された画像データに基づいて、用紙に画像を形成するためのプリントデータを生成するプリントデータ生成手段と、
用紙を加工する指示を受付ける加工指示受付手段と、
前記プリントデータにより定まる用紙に形成される画像の画像位置と、前記加工指示により定まる用紙の加工位置との重なりを判定する判定手段と、
前記判定手段により両位置が重なると判定された場合に、前記画像位置と前記加工位置とを相対的に移動させる位置変更手段とを備えた、画像処理装置。
【請求項１０】
複数ページ分の画像データを入力するステップと、
前記入力された画像データに基づいて、用紙に画像を形成するためのプリントデータを生成するステップと、
用紙を加工する指示を受付けるステップと、
複数ページそれぞれについて、前記プリントデータにより定まる用紙に形成される画像の画像位置と、前記加工指示により定まる用紙の加工位置との重なりを判定するステップと、
前記判定ステップにより両位置が重なると判定されたページのみの画像が形成された用紙であって、前記加工位置が加工された用紙の加工状態画像を表示するステップとを含む、後処理警告方法。
【請求項１１】
画像データを入力するステップと、
前記入力された画像データに基づいて、用紙に画像を形成するためのプリントデータを生成するステップと、
用紙を加工する指示を受付けるステップと、
前記プリントデータにより定まる用紙に形成される画像の画像位置と、前記加工指示により定まる用紙の加工位置との重なりを判定するステップと、
前記判定ステップにより両位置が重なると判定された場合に、前記画像位置と前記加工位置とを相対的に移動させるステップとを含む、後処理設定方法。
【発明の詳細な説明】
【技術分野】
【０００１】
この発明は画像形成装置、後処理警告方法および後処理設定方法に関し、特にパンチまたはステープル等の後処理機能を有する画像形成装置、後処理警告方法および後処理設定方法に関する。
【背景技術】
【０００２】
近年、画像が形成された用紙に、パンチまたはステープル等の後処理を実行する機能を備えた画像処理装置が知られている。後処理では、用紙を加工するため、その加工される位置に画像が形成されている場合には、用紙の加工により画像が削られてしまう。この不都合を回避するために、特開２００３−２９６０９０号公報（特許文献１）には、印刷データに基づいて記録紙上に画像を形成し、画像形成後の記録紙に後処理を行う画像形成装置において、上記記録紙の後処理後の完成予想イメージを示す複数の後処理イメージデータを格納する記憶手段と、上記印刷データのプレビュー表示及び／又は上記記録紙に係る後処理モードを設定する設定手段と、上記設定手段で設定された後処理モードに対応した後処理イメージデータを上記記憶手段から読出し、当該後処理イメージデータと上記プレビュー表示に基づく印刷データとを合成して表示制御をする制御手段と、上記制御手段により合成された上記記録紙の後処理後の完成予想イメージをプレビュー表示する表示手段とを備えることを特徴とする画像形成装置が記載されている。
【０００３】
しかしながら、特開２００３−２９６０９０号公報に記載の画像形成装置は、後処理により画像が削られない場合でも後処理イメージデータと印刷データとを合成して表示するため、重なるか否かを人が判断しなければならない。また、重なる場合に、重なりを回避するための設定をユーザがしなければならない。
【特許文献１】特開２００３−２９６０９０号公報
【発明の開示】
【発明が解決しようとする課題】
【０００４】
この発明は上述した問題点を解決するためになされたもので、この発明の目的の一つは、用紙に画像を形成する前の段階で用紙の加工により削られる画像を確認することが可能な画像処理装置および後処理警告方法を提供することである。
【０００５】
この発明の他の目的は、用紙の加工により画像が削られるのを防止した画像形成装置および後処理設定方法を提供することである。
【課題を解決するための手段】
【０００６】
上述した目的を達成するためにこの発明のある局面によれば、画像処理装置は、複数ページ分の画像データを入力するための入力手段と、入力された画像データに基づいて、用紙に画像を形成するためのプリントデータを生成するプリントデータ生成手段と、用紙を加工する指示を受付ける加工指示受付手段と、複数ページそれぞれについて、プリントデータにより定まる用紙に形成される画像の画像位置と、加工指示により定まる用紙の加工位置との重なりを判定する判定手段と、判定手段により両位置が重なると判定されたページの画像が形成された用紙であって、加工位置が加工された用紙の加工状態画像を表示する表示手段とを備える。
【０００７】
この発明に従えば、画像データに基づいて、用紙に画像を形成するためのプリントデータが生成され、用紙を加工する指示が受付けられると、複数ページそれぞれについて、プリントデータにより定まる用紙に形成される画像の画像位置と加工指示により定まる用紙の加工位置との重なりが判定される。そして、両位置が重なると判定されたページのみの画像が形成された用紙であって、加工位置が加工された用紙の加工状態画像が表示される。このため、用紙に画像を形成する前の段階で、用紙の加工位置と画像の位置との重なり具合を視覚的に確認することができる。また、両位置が重なると判定されたページの画像が形成された用紙の加工状態画像が表示されるので、重ならないページの加工状態画像は表示されない。このため、不要な画像が表示されることがない。その結果、用紙に画像を形成する前の段階で用紙の加工により削られる画像を確認することが可能な画像処理装置を提供することができる。
【０００８】
好ましくは、表示手段は、加工状態画像の加工位置近傍を拡大して表示する拡大表示手段を含む。
【０００９】
この発明に従えば、加工位置近傍が拡大されて表示されるので、用紙の加工により削られる画像を詳細に確認することができる。
【００１０】
好ましくは、表示手段は、判定手段により両位置が重なると判定されたページが複数あるときは、該複数のページを順に表示する個別表示手段を含む。
【００１１】
この発明に従えば、両位置が重なると判定された複数のページが順に表示されるので、個別に確認することができる。表示領域の面積が小さい場合であっても、画像を表示することができる。
【００１２】
好ましくは、表示手段は、判定手段により両位置が重なると判定されたページが複数あるときは、該複数のページを一度に表示する一覧表示手段を含む。
【００１３】
この発明に従えば、両位置が重なると判定された複数のページが一度に表示されるので、複数のページで重なりの程度を一度に確認することができる。このため、重なりを回避するために複数のページで共通する処理を見つけ出すのに便利である。
【００１４】
好ましくは、判定手段により両位置が重なると判定された場合に、画像位置と加工位置とを相対的に移動させる位置変更手段をさらに備え、表示手段は、位置変更手段を能動化させるための指示を受付ける回避操作キーを表示する回避操作キー表示手段を含む。
【００１５】
この発明に従えば、回避操作キーが表示され、回避操作キーが指示されると、画像位置と加工位置とを相対的に移動させるので、用紙の画像と加工位置との重なりをなくすことができる。
【００１６】
好ましくは、位置変更手段は、プリントデータ生成手段に用紙に形成する画像の位置を変更させる画像形成位置変更手段と、画像データの解像度を低くする解像度変換手段と、加工指示により定まる加工位置を変更させる加工位置変更手段とを含む。
【００１７】
この発明に従えば、用紙に形成する画像の位置を変更させる処理、画像データの解像度を低くする処理、または加工位置を変更させる処理の少なくとも１つを選択することができるので、ユーザの所望する画像を用紙に形成させることができる。
【００１８】
好ましくは、位置変更手段は、プリントデータ生成手段に用紙に形成する画像の位置を変更させる画像形成位置変更手段と、画像データの解像度を低くする解像度変換手段と、加工指示により定まる加工位置を変更させる加工位置変更手段とを含み、回避操作キー表示手段は、画像データに応じて、画像形成位置変更手段、解像度変換手段および加工位置変更手段のうちから少なくとも１つを抽出する抽出手段を含み、抽出された手段を能動化させるための指示を受付ける回避操作キーを選択可能に表示する。
【００１９】
この発明に従えば、用紙に形成する画像の位置を変更させる処理、画像データの解像度を低くする処理、または加工位置を変更させる処理の少なくとも１つを画像データに応じて選択して提示するので、ユーザが細かな設定をする必要がない。このため、重なりを回避するための設定を簡単にすることができる。
【００２０】
好ましくは、判定手段は、画像位置と加工位置との重なり量を検出する検出手段をさらに備え、位置変更手段は、プリントデータ生成手段に用紙に形成する画像の位置を変更させる画像形成位置変更手段と、画像データの解像度を低くする解像度変換手段と、加工指示により定まる加工位置を変更させる加工位置変更手段とを含み、回避操作キー表示手段は、検出された重なり量に応じて、画像形成位置変更手段、解像度変換手段および加工位置変更手段のうちから少なくとも１つを抽出する抽出手段を含み、抽出された手段を能動化させるための指示を受付ける回避操作キーを選択可能に表示する。
【００２１】
この発明に従えば、用紙に形成する画像の位置を変更させる処理、画像データの解像度を低くする処理、または加工位置を変更させる処理の少なくとも１つを重なり量に応じて選択して提示するので、ユーザが細かな設定をする必要がない。このため、重なりを回避するための設定を簡単にすることができる。
【００２２】
この発明の他の局面によれば、画像処理装置は、画像データを入力するための入力手段と、入力された画像データに基づいて、用紙に画像を形成するためのプリントデータを生成するプリントデータ生成手段と、用紙を加工する指示を受付ける加工指示受付手段と、プリントデータにより定まる用紙に形成される画像の画像位置と、加工指示により定まる用紙の加工位置との重なりを判定する判定手段と、判定手段により両位置が重なると判定された場合に、画像位置と加工位置とを相対的に移動させる位置変更手段とを備える。
【００２３】
この発明に従えば、画像の画像位置と用紙の加工位置との重なりが判定され、両位置が重なると判定された場合に、画像位置と加工位置とを相対的に移動させる。このため、用紙の加工により画像が削られるのを防止した画像形成装置を提供することができる。
【００２４】
この発明のさらに他の局面によれば、後処理警告方法は、複数ページ分の画像データを入力するステップと、入力された画像データに基づいて、用紙に画像を形成するためのプリントデータを生成するステップと、用紙を加工する指示を受付けるステップと、複数ページそれぞれについて、プリントデータにより定まる用紙に形成される画像の画像位置と、加工指示により定まる用紙の加工位置との重なりを判定するステップと、判定ステップにより両位置が重なると判定されたページのみの画像が形成された用紙であって、加工位置が加工された用紙の加工状態画像を表示するステップとを含む。
【００２５】
この発明に従えば、用紙に画像を形成する前の段階で用紙の加工により削られる画像を確認することが可能な後処理警告方法を提供することができる。
【００２６】
この発明のさらに他の局面によれば、後処理設定方法は、画像データを入力するステップと、入力された画像データに基づいて、用紙に画像を形成するためのプリントデータを生成するステップと、用紙を加工する指示を受付けるステップと、プリントデータにより定まる用紙に形成される画像の画像位置と、加工指示により定まる用紙の加工位置との重なりを判定するステップと、判定ステップにより両位置が重なると判定された場合に、画像位置と加工位置とを相対的に移動させるステップとを含む。
【００２７】
この発明に従えば、用紙の加工により画像が削られるのを防止した後処理設定方法を提供することができる。
【発明を実施するための最良の形態】
【００２８】
以下、本発明の実施の形態について図面を参照して説明する。以下の説明では同一の部品には同一の符号を付してある。それらの名称および機能も同じである。したがってそれらについての詳細な説明は繰返さない。
【００２９】
図１は、本発明の実施の形態の１つにおけるデジタル複写機の概略構成を示す模式的断面図である。図を参照して、デジタル複写機１は、原稿から画像データを読取るための画像読取部１０と、画像読取部１０が出力する画像データを処理するための制御部１００と、用紙上に画像を形成するための画像形成部２０と、画像形成された用紙に後処理を施す後処理部５０とを含む。
【００３０】
画像読取部１０は、原稿ガラス１１上にセットされた原稿の画像が、その下方を移動するスキャナ１２に取付けられた露光ランプ１３により露光される。原稿からの反射光は、ミラー１４と２枚の反射ミラー１５，１５Ａによりレンズ１６に導かれ、ＣＣＤセンサ１８に結像する。露光ランプ１３とミラー１４とは、スキャナ１２に取付けられており、スキャナ１２は、スキャナモータ１７により、図中に示す矢印方向（副走査方向）へ複写倍率に応じた速度Ｖで移動する。これにより、原稿ガラス１１上にセットされた原稿を全面にわたって走査することができる。また、露光ランプ１３とミラー１４の移動に伴い、２枚の反射ミラー１５，１５Ａは、速度Ｖ／２で図中矢印方向へ移動する。これにより、露光ランプ１３で原稿に照射された光が、原稿で反射してからＣＣＤセンサ１８に結像するまでの光路長が常に一定となる。
【００３１】
ＣＣＤセンサ１８に結像した反射光は、ＣＣＤセンサ１８内で電気信号としての画像データに変換され、制御部１００に送られる。制御部１００では、受取ったアナログの画像データにアナログ処理、Ａ／Ｄ変換処理、デジタル画像処理等を行なった後、画像形成部２０に出力する。制御部１００で行うデジタル画像処理には、画像の用紙上の位置（画像位置）を変更する処理、画像を縮小する処理を含む。ＣＣＤセンサ１８から入力される画像データは、原稿を読み取って得られるため、画像データにおいて用紙上に形成される画像の位置が原稿に形成されていた画像の位置と基本的に同じであり、画像サイズは等倍複写の場合には原稿に形成されていた画像サイズと同じである。制御部１００が実行する画像位置を変更する処理は、用紙上の画像の位置を変更する処理であり、画像を縮小する処理は、等倍複写の場合に画像サイズ（解像度）を小さくする処理である。制御部１００は、画像処理後の画像データを、シアン（Ｃ）、マゼンタ（Ｍ）、イエロー（Ｙ）、ブラック（Ｋ）の印字用データに変換し、画像形成部２０へ出力する。
【００３２】
画像形成部２０の露光部２１は、シアン、マゼンタ、イエロー、ブラックそれぞれの印字用データが入力される露光ヘッドを備える。露光部２１の各露光ヘッドでは、受取った印字用データ（電気信号）に応じてレーザ光を発光する。発光されたレーザ光は露光部２１のポリゴンミラーにより１次元走査され、シアン、マゼンタ、イエロー、ブラックそれぞれの画像形成ユニット内の感光体ドラム２３Ｃ，２３Ｍ，２３Ｙ，２３Ｋを露光する。露光部２１が感光体ドラムを１次元走査する方向は、主走査方向である。シアン、マゼンタ、イエロー、ブラックの画像形成ユニットそれぞれは、感光体ドラム２３Ｃ，２３Ｍ，２３Ｙ，２３Ｋと、帯電チャージャ２２Ｃ，２２Ｍ，２２Ｙ，２２Ｋと、現像機２４Ｃ，２４Ｍ，２４Ｙ，２４Ｋと、転写チャージャ２５Ｃ，２５Ｍ，２５Ｙ，２５Ｋとを備える。
【００３３】
シアン、マゼンタ、イエロー、ブラックの画像形成ユニットは、取扱うトナーの色彩が異なるのみなのでシアンの画像を形成するための画像形成ユニットについてその動作を説明する。感光体ドラム２３Ｃは、帯電チャージャ２２Ｃによって帯電された後、シアン用の露光ヘッドが発光するレーザ光が照射される。これにより、感光体ドラム２３Ｃ上には静電潜像が形成される。続いて、現像機２４Ｃにより、静電潜像上にトナーが載せられてトナー像が形成される。感光体ドラム２３Ｃ上に形成されたトナー像は、無端ベルト３０上に担持された記録媒体に、転写チャージャ２５Ｃにより転写される。なお、シアン、マゼンタ、イエロー、ブラックの画像形成ユニットは、それぞれ一体的に構成され、デジタル複写機１に着脱可能となっている。
【００３４】
給紙カセット３５，３５Ａ，３５Ｂには、それぞれサイズの異なる用紙がセットされている。所望のサイズの用紙が、給紙カセット３５，３５Ａ，３５Ｂに取付けられている給紙ローラ３６，３６Ａ，３６Ｂにより、搬送路へ供給される。搬送路へ供給された用紙は、搬送ローラ対３７によりタイミングローラ３１へ送られる。
【００３５】
一方、無端ベルト３０は、駆動ローラ３３Ａとローラ３３Ｂ,３３Ｃ,３３Ｄとにより弛まないように懸架されている。無端ベルト３０に用紙が供給される位置にタイミングセンサが設置されており、タイミングセンサが無端ベルト３０の基準マークを検出すると、それに同期してタイミングローラ３１が用紙を無端ベルト３０に供給する。無端ベルト３０に供給された用紙は、無端ベルト３０上に担持され、図中で左方向に搬送される。用紙が搬送される方向は副走査方向であり、主走査方向に直交する。これにより、用紙がシアン、マゼンタ、イエロー、ブラックの順に画像形成ユニットの感光体ドラム２３Ｃ，２３Ｍ，２３Ｙ，２３Ｋと接触する。用紙が感光体ドラム２３Ｃ，２３Ｍ，２３Ｙ，２３Ｋそれぞれと接触したときに、感光体ドラム２３Ｃ，２３Ｍ，２３Ｙ，２３Ｋと対をなす転写チャージャ２５Ｃ，２５Ｍ，２５Ｙ，２５Ｋにより、感光体ドラム上のトナー像が用紙に転写される。
【００３６】
トナー像が転写された用紙は、定着ローラ対３２に搬送され、定着ローラ対３２により加熱される。これにより、トナーが溶かされて用紙に定着する。その後、用紙は後処理部５０に搬送される。
【００３７】
なお、ここでは、用紙に４色のトナーをそれぞれに設けられた感光体ドラム２３Ｃ，２３Ｍ，２３Ｙ，２３Ｋで転写するいわゆるタンデム方式のデジタル複写機１について説明するが、１つの感光体ドラムで４色のトナーを順に用紙に転写する４サイクル方式のデジタル複写機であってもよい。また、デジタル複写機１をフルカラーとしたが、単色のトナーを用いて画像形成する画像形成装置であってもよい。
【００３８】
後処理部５０は、排紙トレイ５６と、ビン６１〜６５と、用紙に綴じ穴を形成するためのパンチユニット５２と、用紙にステープル針を打ち込むためのステープルユニット５１とを備える。後処理部５０は、画像形成部２０から受け入れローラ対５３に用紙が供給されると、切り換え爪５４により搬送経路が、排紙トレイ５６側またはビン６１〜６５側のいずれかに切り替えられる。切り換え爪５４は、ソレノイドのオン、オフに基づいて支軸のまわりを回転することにより搬送経路を切り替える。ソレノイドがオフの際には、搬送経路を排紙トレイ５６側に切り換え、オンの際には搬送経路をビン６１〜６５側に切り換える。
【００３９】
排紙トレイ５６側の搬送経路には搬送ローラ対５５が備えられており、それにより搬送される用紙は排紙トレイ５６に排紙される。ビン６１側の搬送経路には、用紙の搬送方向先端部または後端部に綴じ穴を形成するためのパンチユニット５２と、搬送ローラ対５７，５９，６０、およびガイド板５８が設置されている。パンチユニット５２が用紙に綴じ穴を形成する際に、搬送ローラ対５７が停止して用紙の綴じ穴を形成する位置が決められる。すなわち、パンチユニット５２で用紙に綴じ穴を形成する位置を、搬送ローラ対５７を制御することにより変更することができるようになっている。
【００４０】
ビン６１〜６５は一定の間隔で傾斜して設置され、各ビン６１〜６５はその間隔を保ちながら昇降される。ビン６１〜６５は図１に示す位置をホームポジションとする。このホームポジションでは、第１ビン６１は搬送ローラ対６０に対向し、第２ビン６２はステープルユニット５１に対向している。以下、搬送ローラ対６０に対向するビン６１〜６５の位置を位置Ｘ１とし、ステープルユニット５１に対向するビン６１〜６５の位置を位置Ｘ２とする。すなわち、ビン６１〜６５のうち位置Ｘ１にあるものには搬送ローラ対６０から用紙が排紙される。ビン６１〜６５のうち位置Ｘ２にあるものの上に排紙された用紙束は、ステープルユニット５１により綴じることができる。
【００４１】
ステープルユニット５１は、電動式の周知の構造からなり、ステープル針を内蔵したカートリッジを着脱することのできるヘッド部と、ヘッド部から打ち出されたステープル針を受け止めて折り曲げるアンビル部とから構成されている。このステープルユニット５１は位置Ｘ２にセットされるビン６１〜６５側に移動し、用紙束のコーナーの１ヶ所または用紙束の端部の２ヶ所にステープル針を打ち込む。なお、各ビン６１〜６５の下端部のステープル針の打ち込みに対応する位置には切り欠きが形成されており、ステープルユニット５１の先端部がビン６１〜６５側に入り込めるようになっている。
【００４２】
ステープルユニット５１が、位置Ｘ２にセットされるビン６１〜６５側に移動する距離は、可変である。すなわち、用紙にステープル針を打ち込む位置を変更することができるようになっている。
【００４３】
図２は、デジタル複写機の制御部の詳細なハード構成を示すブロック図である。図２を参照して、制御部１００は、それぞれがバス１１１に接続されたＣＰＵ（Ｃｅｎｔｒａｌ  Ｐｒｏｃｅｓｓｉｎｇ  Ｕｎｉｔ）１０１と、記憶部１０２と、画像読取部１０が出力する画像データを処理する入力画像処理部１０４と、画像データを画像形成部２０に出力するのに適したデータに変換する処理を行う出力画像処理部１０５と、ネットワークインターフェイス（Ｉ／Ｆ）１０７と、モデム１０８と、操作パネル１０９と、カードＩ／Ｆ１１０と、後処理部５０を制御する後処理制御部１０６とを含む。
【００４４】
ＣＰＵ１０１は、制御部１００の全体を制御する。記憶部１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＥＥＰＲＯＭ（Ｅｌｅｃｔｒｉｃａｌｌｙ  Ｅｒａｓａｂｌｅ/Ｐｒｏｇｒａｍａｂｌｅ  ＲＯＭ）などの半導体メモリおよびハードディスクドライブ（ＨＤＤ）等の磁気記憶装置を含む。
【００４５】
入力画像処理部１０４は、画像読取部１０が出力する画像データが入力される。入力画像処理部１０４は、入力された画像データに対して、色補正処理、解像度変換処理などの画像処理を実行して、処理した画像データを記憶部１０２に記憶する。出力画像処理部１０５は、記憶部１０２から画像データを読み出して、色変換処理、スクリーン制御処理、スムージング処理、濃度補正処理、パルス幅変調（ＰＷＭ）などの画像処理を実行して、処理後の画像データを画像形成部２０に出力する。
【００４６】
ＣＰＵ１０１、入力画像処理部１０４および出力画像処理部１０５は、記憶部１０２に記憶された画像処理プログラムを実行する。記憶部１０２には、ＣＰＵ１０１、入力画像処理部１０４および出力画像処理部１０５それぞれで実行するための画像処理プログラムが記憶されている。
【００４７】
カードＩ／Ｆ１１０には、ＩＣカード１１０Ａが装着される。ＣＰＵ１０１は、カードＩ／Ｆ１１０を介してＩＣカード１１０Ａにアクセスが可能である。ネットワークＩ／Ｆ１０７は、デジタル複写機１をネットワーク１１２と接続する。ネットワークＩ／Ｆ１０７は、データを所定の通信プロトコルに従ってネットワークに出力し、ネットワーク１１２から所定の通信プロトコルに従ってデータを受信する。ＣＰＵ１０１は、ネットワークＩ／Ｆ１０７を介してネットワーク１１２に接続された他のコンピュータと通信することが可能となる。このため、たとえば、電子メールを用いて画像データの送受信が可能である。
【００４８】
モデム１０８は、デジタル複写機１を電話回線１１３と接続する。モデム１０８は、データをファクシミリの通信プロトコルに従ってファクシミリ通信を可能とする。モデム１０８は、ファクシミリ受信されたデータを記憶部１０２のＨＤＤに記憶する。また、モデム１０８は、電話回線１１３に接続されたコンピュータとの通信を可能とするためＮＣＵ（Ｎｅｔｗｏｒｋ
Ｃｏｎｔｒｏｌ Ｕｎｉｔ）を含む。モデム１０８により他のコンピュータから受信されたデータは、記憶部１０２のＨＤＤに記憶される。
【００４９】
操作パネル１０９は、入力部１０９Ａと表示部１０９Ｂとを含む。入力部１０９Ａは、デジタル複写機１のユーザによる操作の入力を受付けるためのタッチパネル、キーボードまたはマウス等の入力装置である。表示部１０９Ｂは、液晶表示装置または有機ＥＬ（Ｅｌｅｃｔｒｏ−Ｌｕｍｉｎｅｓｃｅｎｃｅ）ディスプレイパネルである。入力部１０９Ａに透明な部材からなるタッチパネルを用いる場合には、表示部１０９Ｂ上にタッチパネルを重ねて設置することで、表示部１０９Ｂに表示されたボタンの指示を検出することができる。これにより、種々の操作の入力が可能となる。
【００５０】
図３は、本実施の形態におけるデジタル複写機で実行されるプリント処理の流れを示すフローチャートである。このプリント処理は、制御部１００のＣＰＵ１０１で実行される処理である。図３を参照して、プリント処理では、プリント指示が検出されるまで待機状態となっており（ステップＳ０１でＮＯ）、プリント指示が検出されると（ステップＳ０１でＹＥＳ）、ステップＳ０２に進む。すなわち、プリント処理は、プリント指示が検出されることを条件に実行される処理である。ここでのプリント指示は、操作パネル１０９の入力部１０９Ａに備えられたスタートボタンが押下の検出である。スタートボタンが押下される前の段階では、プリント条件が設定されている。プリント条件には、パンチ穴の加工指示またはステープル針の加工指示等の後処理のための指示を含む場合がある。また、プリント指示は、ネットワーク１１２に接続されたパーソナルコンピュータから送信される画像データの受信の検出を含む。パーソナルコンピュータからネットワーク１１２を介して画像データが受信される場合には、画像データとともにプリント条件が受信される。プリント条件には後処理のための指示が含まれる場合がある。
【００５１】
そして、画像データが入力される（ステップＳ０２）。プリント指示がスタートボタンの押下による場合には、画像読取部１０で原稿が読み取られて画像データが入力され、プリント指示がネットワーク１１２を介しての画像データの受信の場合には、ネットワークＩ／Ｆで画像データが受信されることにより画像データが入力される。
【００５２】
ステップＳ０３では、プリント条件に後処理の指定があるか否かが判断される。後処理の指定がされている場合にはステップＳ０４に進み、そうでない場合にはステップＳ１７に進む。ステップＳ１７では、画像データが画像形成部２０に出力されて画像データが用紙にプリントされる。その後、処理を終了する。
【００５３】
ステップＳ０４では、指定された後処理の後処理位置が取得される。後処理位置は、パンチ穴加工が指定されている場合には、用紙上のパンチ穴加工がされる位置であり、ステープル加工が指定されている場合には、用紙にステープル針が打ち込まれる位置である。この後処理位置は、予め定まられているデフォルトの位置であってもよいし、プリント条件に含まれている位置であってもよい。次のステップＳ０５では、画像位置が算出される。画像位置は、画像が形成される用紙上の位置をいい、ステップＳ０２で入力された画像データから算出される。
【００５４】
次のステップＳ０６では、画像位置と後処理位置とが重なっているか否かが判断される。両位置が重なっていればステップＳ０７に進み、そうでなければステップＳ０８に進む。ステップＳ０７では、重なりのあるとされたページをエラーページに設定する。そして、加工状態画像が生成される（ステップＳ０８）。加工状態画像は、用紙に画像を形成した状態の用紙の画像と、用紙に後処理した状態の用紙の画像とを合成した画像である。したがって、画像位置と後処理位置とが重なっているエラーページでは、画像の一部がパンチ穴またはステープル針で削除された画像となる。加工状態画像は、用紙全体を含むものであってもよいが、ここでは、用紙の後処理位置周辺の一部を拡大した画像としている。画像がパンチ穴またはステープル針で削られる状態を確認し易くするためである。ステップＳ０９では、次のページが存在するか否かが判断され、存在すればステップＳ０５に戻り、存在しなければステップＳ１０に進む。これにより、ステップＳ０２で入力された画像データに含まれる全ページの加工状態画像が生成される。
【００５５】
ステップＳ１０では、エラーページに設定されているページがあるか否かが判断され、エラーページがあればステップＳ１１に進み、なければステップＳ１５に進む。エラーページが存在しなければ、画像がパンチ穴またはステープル針で削られることがないからである。ステップＳ１１では、加工状態画像を表示する処理が実行される。加工状態画像表示処理については後述する。エラーページのある場合に限って、ステップＳ１１に進むため、エラーページがない場合にステップＳ１１〜ステップＳ１４が実行されることがない。このため、エラーページがない場合に不要な処理が実行されるのを避けることができる。
【００５６】
ステップＳ１２では、修正モードの設定がされたか否かが判断され、修正モードが設定されればステップＳ１３に進むが、修正モードが設定され名ければステップＳ１１に戻る。ステップＳ１３では、操作パネル１０９の表示部１０９Ｂに修正条件指定画面が表示されて、修正条件が設定される。修正条件については後述するが、修正内容と、処理対象ページと、処理方法とを含む。そして、設定された修正条件に従って画像データまたは後処理条件を修正する修正処理が実行される（ステップＳ１４）。修正条件および修正処理については後述する。そして、画像形成部２０で用紙に画像をプリントさせるために画像データが画像形成部２０に出力されてプリントされる（ステップＳ１５）。そして、後処理部５０に後処理させるために後処理条件が後処理制御部１０６に出力される（ステップＳ１６）。
【００５７】
図４は、デジタル複写機の上面に設けられる操作パネルの構成を説明するための平面図である。操作パネル１０９は、複写条件、デジタル複写機１内部の状態を表示する液晶表示装置と、その上に重畳されたタッチパネルとを含む表示入力部２２０と、複写部数や複写倍率等の数値を入力するためのテンキー２１０と、プリントの開始を指示するためのスタートボタン２１１とを含んでいる。表示入力部２２０の液晶表示装置が表示部１０９Ｂに相当し、表示入力部２２０のタッチパネルと、テンキー２１０とスタートボタン２１１とが入力部１０９Ａに相当する。
【００５８】
図４では、表示入力部２２０に加工状態画像２０１が表示されている例を示している。図４に示す加工状態画像２０１は、エラーページの加工位置近傍の用紙の一部を拡大した画像である。画像に「ＡＢＣＤＥＦＧ」の文字を含むが、「Ａ」の文字の一部がパンチ穴で削られているのがわかる。このため、画像形成する前の段階で、画像が形成されて後処理された用紙では、パンチ穴で削られた文字が「Ａ」と認識できなくなってしまうのがわかる。
【００５９】
表示入力部２２０には、加工状態画像２０１の横に、ボタン２０２〜２０８が表示される。ボタン２０４，２０５は、表示入力部２２０に表示する対象とするページを指定するためのボタンであり、ボタン２０４は全てのページを表示対象に指定するためのボタン、ボタン２０５はエラーページのみを表示対象に指定するためのボタンである。デフォルトでは、ボタン２０５が指示された状態となる。ボタン２０７，２０８は、表示モードを指定するためのボタンである。表示モードは、表示対象とされたページをページ単位で表示するページモードと、表示対象とされたページの全てを表示する一覧モードとがある。ボタン２０７はページモードを指定するためのボタンであり、ボタン２０８は一覧モードを指定するボタンである。デフォルトでは、ボタン２０７が指定された状態となる。ボタン２０６は、表示入力部２２０に表示する画面を、修正モードを選択するための修正モード指定画面への切り換えを指示するためのボタンである。ボタン２０２，２０３は、表示モードにページモード２０７が指定された場合に有効とされ、表示入力部２２０に表示する対照とするページを次ページまたは全ページへの切り換えを指示するためのボタンである。
【００６０】
図５は、図３のステップＳ１１で実行される加工状態画像表示処理の流れを示すフローチャートである。この加工状態画像表示処理は、図４に示した操作パネルの表示入力部２２０に表示される加工状態画像２０１の切り換えを制御する処理である。図５を参照して、加工状態画像表示処理では、まず、表示対象とされるページが判断される（ステップＳ２１）。図４に示す表示入力部２２０に表示されたボタン２０４，２０５のいずれが指示されたかを判断する。ボタン２０４が指示されて全ページが表示対象に指定されている場合にはステップＳ２９に進み、ボタン２０５が指示されてエラーページのみが指定されている場合にはステップＳ２２に進む。デフォルトではエラーページのみが指定されるため、ステップＳ２２に進むことになる。
【００６１】
ステップＳ２２では、表示モードが判断される。図４に示す表示入力部２２０に表示されたボタン２０７，２０８のいずれが指示されたかを判断する。ボタン２０７が指示されてページモードが指定されている場合にはステップＳ２３に進み、ボタン２０８が指示されて一覧モードが指定されている場合にはステップＳ２７に進む。デフォルトではページモードが指定されるため、ステップＳ２３に進むことになる。ステップＳ２３では、最初のエラーページの加工状態画像が表示される。
【００６２】
次のステップＳ２４では、ページ送り指示があったか否かが判断される。図４に示す表示入力部２２０に表示されたボタン２０２，２０３のいずれかが指示されたか否かが判断される。指示があればステップＳ２５に進み、指示がなければステップＳ２６に進む。ステップＳ２５では、表示する加工状態画像のエラーページを切り換える。ボタン２０２が指示された場合には、次のエラーページの加工状態画像が表示され、ボタン２０３が指示された場合には、前のエラーページの加工状態画像が表示される。最初のエラーページの加工状態画像が表示されている段階で、ボタン２０３が指示された場合には最後のエラーページの画像状態画像が表示され、最後のエラーページの加工状態画像が表示されている段階で、ボタン２０２が指示された場合には最初のエラーページの画像状態画像が表示される。次のステップＳ２６では、終了指示があったか否かが判断される。終了指示があれば処理をプリント処理に戻すが、終了指示がなければステップＳ２１に戻る。終了指示は、表示入力部２２０に表示されているボタン２０６の指示を含む。
【００６３】
ステップＳ２２において表示モードが一覧モードに指定された場合、ステップＳ２７では、全てのエラーページの加工状態画像が一覧表示される。そして、終了指示があったか否かが判断される。終了指示があれば処理をプリント処理に戻すが、終了指示がなければステップＳ２１に戻る。
【００６４】
ステップＳ２９〜ステップＳ３５の処理は、処理対象とするページが、エラーページとエラーページでないページを含む全てのページとなるのみで、ステップＳ２２からステップＳ２８の処理と同じである。したがって、ここでは説明を繰り返さない。
【００６５】
図６は、修正条件指定画面の一例を示す図である。図６を参照して、修正条件指定画面２３０は、修正内容を指定する領域２４０と、処理対象ページを指定する領域２５０と、処理方法を指定する領域２６０と、ボタン２３１〜２３３とを含む。修正内容を指定する領域２４０は、画像処理条件および／または後処理条件を修正する指示を入力するための領域であり、用紙に画像を形成する位置を移動させる指示を入力するためのボタン２４１と、用紙を加工する位置を移動させる指示を入力するためのボタン２４２と、用紙に形成する画像を縮小する指示を入力するためのボタン２４４と、手動でプリント条件を設定する指示を入力するためのボタン２４３とを含む。ボタン２４１，２４４は、画像処理条件を修正する指示を入力するためのボタンであり、ボタン２４２は、後処理条件を修正する指示を入力するためのボタンである。ボタン２４３は、画像処理条件および後処理条件のいずれか、または双方を修正する指示を入力するためのボタンである。
【００６６】
ボタン２４１が指示されると、画像位置と加工位置との重なりがなくなるまで画像を形成する位置を移動させる（以下「自動画像シフト」という）画像処理が実行される。ボタン２４２が指示されると、画像位置と加工位置との重なりがなくなるまで加工位置を移動させる（以下「自動フィニッシング位置シフト」という）ように後処理条件が修正される。ボタン２４４が指示されると、画像位置と加工位置との重なりがなくなるまで画像を縮小する（以下「自動画像縮小」という）画像処理が実行される。ボタン２４３が指示されると、画像処理条件または後処理条件を設定する画面が表示され、ユーザによる画像処理条件または後処理条件の入力が受付けられる。ここでは、ボタン２４１〜２４４のいずれかの指定を可能としている。
【００６７】
なお、ボタン２４１、２４２、２４４の複数を同時に指定可能とするようにしてもよい。自動フィニッシング位置シフトは、ステープル針の打ち込み位置の移動、またはパンチ穴加工の位置の移動である。これらの加工位置の移動量には限界がある。また、自動画像シフトでは、用紙の余白分まで画像を移動させることが可能であり、移動量に限界がある。したがって、ボタン２４１、２４２、２４４の複数を同時に指定可能とする場合には、処理に優先度を設けて、優先度の高いものから順に限界量まで移動させる処理をし、限界量まで移動させてもなお重なりが解消できない場合に、次の優先度の処理を実行するようにすればよい。たとえば、自動フィニッシング位置シフトの優先度を最も高くし、自動画像シフトを次に高い優先度とし、自動画像縮小の優先度を最も低くする。
【００６８】
処理ページを指定する領域２５０は、画像データに含まれるページのうち領域２４０で指定された修正内容を有効とする処理対象ページを指定するための領域であり、ボタン２５１，２５２を含む。ボタン２５１が指示されるとエラーページとエラーページでないページとを含む全ページに対して修正内容が有効とされ、ボタン２５２が指示されるとエラーページのみに対して修正内容が有効とされる。
【００６９】
処理方法を指定する領域２６０は、領域２４０で指定された修正内容を、領域２５０で指定された処理ページにどのように反映させるかを指定するための領域であり、ボタン２６１，２６２を含む。ボタン２６１が指定されると、処理方法が「一括」に指定される。一括の処理方法では、領域２５０で指定された処理対象ページに対して、領域２４０で指定された修正内容で処理するが、その修正量は全て同じとされる。すなわち、処理対象ページそれぞれに修正内容を処理した場合の最大の修正量で、処理対象ページの全てが修正される。具体的には、領域２４０でボタン２４１が指定され、領域２５１でボタン２５２が指定された場合、処理内容は自動画像シフトとされ、処理対象ページはエラーページとなる。エラーページが第１〜第３エラーページまであるとし、自動画像シフトにおける画像の移動量（修正量）が第１〜第３エラーページそれぞれで、２ｍｍ、３ｍｍ、５ｍｍとすれば、移動量は最大の５ｍｍとされる。したがって、第１〜第３エラーページの全てに対して、画像が移動量５ｍｍで移動されることになる。ボタン２６２が指定されると、処理法法が「個別」に指定される。個別の処理方法では、領域２５０で指定された処理ページに対して、領域２４０で指定された修正内容でそれぞれ処理される。したがって、各処理対象ページが修正される修正量は処理対象ページごとに算出されため、処理対象ページごとに異なることになる。上記の例で説明すると、第１エラーページは画像が移動量２ｍｍで移動され、第２エラーページは画像が移動量３ｍｍで移動され、第３エラーページは画像が移動量５ｍｍで移動される。領域２５０でボタン２５１が指定された場合には、全ページが処理対象ページとされるため、エラーページでないページに対しても、領域２４０で指定された修正内容で処理されることになる。なお、領域２５０でボタン２５１が指定された場合には、ボタン２６１が自動的に指定され、ボタン２６２を指定することができない。
【００７０】
ボタン２３１が指定されると、指定された処理条件で処理された後の加工状態画像が生成されて、操作パネルの表示部１０９Ｂに表示される。これにより、処理条件に従って処理された後のプリント結果を、画像形成する前の段階で確認することができる。たとえば、修正内容に自動画像縮小を指定した場合に、ユーザが意図していたよりも小さな解像度となってしまう場合がある。その場合には、再度修正条件を設定し直すことができる。
【００７１】
ボタン２３２が指定されると、修正条件指定画面２３０で指定した修正条件が全てキャンセルされて、図４に示した修正前の加工状態画像を表示する画面に戻る。ボタン２３３が指定されると、修正条件指定画面２３０で指定した修正条件が有効とされ、その修正条件に従って処理が実行される。
【００７２】
図７は、図３のステップＳ１４で実行される修正処理の流れを示すフローチャートである。図７を参照して、修正条件の修正内容に自動フィニッシング位置シフトが指定されたか否かが判断される（ステップＳ３１）。真であればステップＳ３２に進み、偽であればステップＳ４１に進む。ステップＳ３２では、フィニッシング位置のシフト量が算出される。フィニッシング位置とは、加工位置である。具体的には、後処理にパンチ穴加工が指定されている場合には、パンチ穴加工される位置であり、後処理にステープルが指定されている場合には、ステープル針の打ち込まれる位置である。エラーページのフィニッシング位置のシフト量が算出される。このシフト量は、加工位置を、画像位置との重なりがなくなるまで移動させることにより算出される。加工位置のシフト量には限界があるため、加工位置のシフト量が限界まで達した場合にはその限界値がシフト量とされる。そして、次のエラーページが存在するか否かが判断され（ステップＳ３３）、存在すれば次のエラーページのフィニッシング位置のシフト量を算出するためにステップＳ３２に戻り、存在しなければステップＳ３４に進む。ステップＳ３４に進む場合には、エラーページの全てについて、それぞれフィニッシング位置のシフト量が算出されることになる。
【００７３】
ステップＳ３４では、修正条件の処理方法が判断される。処理方法が一括に指定されていればステップＳ３５に進み、個別に指定されていればステップＳ３９に進む。ステップＳ３５では、ステップＳ３２で算出されたシフト量の最大値を最大シフト量に設定する。そして、処理条件の処理ページが判断される（ステップＳ３６）。処理ページがエラーページに指定されていればステップＳ３７に進み、処理ページが全ページに指定されていればステップＳ３８に進む。ステップＳ３７では、全エラーページのフィニッシング位置をステップＳ３５で設定した最大シフト量にシフトさせる。ステップＳ３８では、エラーページとエラーページでないページとを含む全ページのフィニッシング位置をステップＳ３５で設定した最大シフト量でシフトさせる。一方、ステップＳ３９では、各エラーページのフィニッシング位置を、ステップＳ３２でエラーページごとに算出されたシフト量でシフトさせる。ステップＳ３７〜Ｓ３９のいずれかにより、後処理条件が修正される。
【００７４】
次のステップＳ４１では、修正条件の修正内容に自動画像シフトが指定されたか否かが判断される。真であればステップＳ４２に進み、偽であればステップＳ５１に進む。ステップＳ４２では、画像位置のシフト量が算出される。このシフト量は、画像位置を、加工位置との重なりがなくなるまで移動させることにより算出される。画像位置のシフト量には限界があるため、画像位置のシフト量が限界まで達した場合にはその限界値がシフト量とされる。そして、次のエラーページが存在するか否かが判断され（ステップＳ４３）、存在すれば次のエラーページの画像位置のシフト量を算出するためにステップＳ４２に戻り、存在しなければステップＳ４４に進む。ステップＳ４４に進む場合には、エラーページの全てについて、それぞれ画像位置のシフト量が算出されることになる。
【００７５】
ステップＳ４４では、修正条件の処理方法が判断される。処理方法が一括に指定されていればステップＳ４５に進み、個別に指定されていればステップＳ４９に進む。ステップＳ４５では、ステップＳ４２で算出された画像位置のシフト量の最大値を最大シフト量に設定する。そして、処理条件の処理ページが判断される（ステップＳ４６）。処理ページがエラーページに指定されていればステップＳ４７に進み、処理ページが全ページに指定されていればステップＳ４８に進む。ステップＳ４７では、全エラーページの画像位置をステップＳ４５で設定した最大シフト量にシフトさせる。ステップＳ４８では、エラーページとエラーページでないページとを含む全ページの画像位置をステップＳ４５で設定した最大シフト量でシフトさせる。一方、ステップＳ４９では、各エラーページの画像位置を、ステップＳ４２でエラーページごとに算出された画像位置のシフト量でシフトさせる。ステップＳ４７〜Ｓ４９のいずれかにより、画像処理条件が修正される。
【００７６】
次のステップＳ５１では、修正条件の修正内容に自動画像縮小が指定されたか否かが判断される。真であればステップＳ５２に進み、偽であれば処理をプリント処理に戻す。ステップＳ５２では、画像の縮小率が算出される。この縮小率は、画像を、加工位置との重なりがなくなるまで縮小することにより算出される。そして、次のエラーページが存在するか否かが判断され（ステップＳ５３）、存在すれば次のエラーページの画像の縮小率を算出するためにステップＳ５２に戻り、存在しなければステップＳ５４に進む。ステップＳ５４に進む場合には、エラーページの全てについて、それぞれ画像の縮小率が算出されることになる。
【００７７】
ステップＳ５４では、修正条件の処理方法が判断される。処理方法が一括に指定されていればステップＳ５５に進み、個別に指定されていればステップＳ５９に進む。ステップＳ５５では、ステップＳ５２で算出された画像の縮小率の最大値を最大縮小率に設定する。そして、処理条件の処理ページが判断される（ステップＳ５６）。処理ページがエラーページに指定されていればステップＳ５７に進み、処理ページが全ページに指定されていればステップＳ５８に進む。ステップＳ５７では、全エラーページの画像をステップＳ５５で設定した最大縮小率で縮小する。ステップＳ５８では、エラーページとエラーページでないページとを含む全ページの画像をステップＳ５５で設定した最大縮小率で縮小する。一方、ステップＳ５９では、各エラーページの画像を、ステップＳ５２でエラーページごとに算出された縮小率で縮小する。ステップＳ５７〜Ｓ５９のいずれかにより、画像処理条件が修正される。
【００７８】
なお、本実施の形態においては、デジタル複写機１では、修正条件をユーザが指定するようにしたが、エラーページがある場合には、修正条件を自動的に設定して、修正処理を実行するようにしてもよい。この場合、修正条件の処理内容は、３つの処理に優先度を設けて、優先度の高いものから順に限界量まで移動させる処理をし、限界量まで移動させてもなお重なりが解消できない場合に、次の優先度の処理を実行するようにすればよい。たとえば、自動フィニッシング位置シフトの優先度を最も高くし、自動画像シフトを次に高い優先度とし、自動画像縮小の優先度を最も低くする。処理ページおよび処理方法はデフォルト値を、たとえば、処理ページはエラーページ、処理方法は個別に予め設定しておけばよい。
【００７９】
また、修正条件の処理内容は、画像データに応じて決定するようにしてもよい。たとえば、画像データに文字が多い場合などは、解像度を低くすると文字が読めなくなるので、自動画像シフトまたは自動フィニッシングシフトを優先して指定するようにしてもよい。また、画像データに写真の領域が多い場合などは、自動画像縮小を優先して指定するようにしてもよい。画像データに応じて自動的に修正条件の処理内容を決定するようにすれば、処理条件の指定が容易となる。
【００８０】
また、修正条件の処理内容は、画像位置と加工位置との重なり量に応じて決定するようにしてもよい。たとえば、自動フィニッシング位置シフトのみで重なりを回避できる場合には、処理内容を自動フィニッシング位置シフトとする。また、自動画像シフトのみで重なりを回避できる場合には、処理内容を自動画像シフトとする。自動フィニッシング位置シフトと自動画像シフトとで重なりを回避できる場合には、処理内容を自動フィニッシング位置シフトおよび自動画像シフトとする。この場合、決定された処理内容を指定するためのボタンのみを表示入力部２２０に表示するようにすれば、修正条件の設定が容易となる。
【００８１】
上述したプリント処理をコンピュータに実行させるようにしてもよい。図８は、プリントシステムの概略構成を示す図である。図８を参照して、プリントシステムは、それぞれがネットワーク１１２に接続されたコンピュータ２と、デジタル複写機１とを含む。ネットワーク１１２には、他のコンピュータを接続するようにしてもよい。このプリントシステムによれば、コンピュータ２で生成したデータを、ネットワーク１１２を介してデジタル複写機１に送信することにより、デジタル複写機１で受信したデータを用紙に可視化する。
【００８２】
コンピュータ２は、データをデジタル複写機１に送信する際に、プリントに適したデータに変換するアプリケーションプログラムがインストールされている。この種のアプリケーションプログラムはプリンタドライバプログラムと呼ばれる。プリンタドライバプログラムは、一般的にＣＤ−ＲＯＭ（Ｃｏｍｐａｃｔ  Ｄｉｓｃ−ＲＯＭ）３に記憶されて流通し、コンピュータ２が備えるＣＤ−ＲＯＭドライブにより読み出されて、コンピュータ２が備えるハードディスクに記憶される。コンピュータ２が備えるＣＰＵは、ハードディスクに記憶されたプリンタドライバプログラムをＲＡＭに読み出して実行する。
【００８３】
このプリンタドライバに、図３に示したプリント処理のステップＳ０１〜ステップＳ１４の処理を実行させる。したがって、デジタル複写機１のＣＰＵ１０１は、コンピュータ２から受信したデータを画像形成部２０および後処理制御部１０６に出力することになる。ここでは、コンピュータ２とデジタル複写機１とを接続する例を示したが、デジタル複写機１に代えて、画像形成部２０を備えた一般的なプリンタであってもよい。
【００８４】
なお、ここではプリンタドライバプログラムを、ＣＤ−ＲＯＭに記録する例を示したが、コンピュータ読み取り可能な記録媒体であれば、磁気テープやカセットテープ、磁気ディスク（フレキシブルディスク、ハードディスク等）や光ディスク（ＭＯ（Ｍａｇｎｅｔｏ−Ｏｐｔｉｃａｌ  Ｄｉｓｃ）/ＭＤ（ＭｉｎｉＤｉｓｃ）/ＤＶＤ（Ｄｉｇｉｔａｌ Ｖｅｒｓａｔｉｌｅ  Ｄｉｓｃ））、光カード、あるいはマスクＲＯＭ、ＥＥＰＲＯＭ、フラッシュメモリなどの半導体メモリ等の固定的にプログラムを担持する媒体であってもよい。また、プリンタドライバプログラムをネットワーク１１２に接続された他のコンピュータからダウンロードするようにしてもよい。
【００８５】
ここでいうプログラムは、コンピュータ２のＣＰＵにより直接実行可能なプログラムだけでなく、ソースプログラム形式のプログラム、圧縮処理されたプログラム、暗号化されたプログラム等を含む。
【００８６】
以上説明したように本実施の形態におけるデジタル複写機１は、複数ページ分の画像データを入力するための画像読取部１０と、入力された画像データに基づいて、用紙に画像を形成するためのプリントデータを生成する出力画像処理部１０５とを備えており、ステープルまたはパンチ穴加工処理等の後処理指定があると（Ｓ０３）、複数ページそれぞれについて、画像位置と加工位置との重なりを判定し（Ｓ０６）、両位置が重なると判定されたページの加工状態画像を表示する（Ｓ０８）。このため、用紙に画像を形成する前の段階で用紙の加工により削られる画像を確認することができる。
【００８７】
また、加工状態画像は、加工位置近傍を拡大した画像なので、用紙を加工することにより削られる画像を詳細に確認することができる。
【００８８】
また、エラーページが複数あるときは、順に表示するので、エラーページごとに重なりの状態を確認することができる。このため、表示部１０９Ｂの表示面積が小さい場合であっても、重なりの状態を表示することができる。
【００８９】
また、エラーページが複数あるときは、一覧で表示するので、エラーページで重なりの程度を一度に確認することができる。このため、重なりを回避するために複数のエラーページまたは全ページで共通する修正条件を見つけ出すのに便利である。
【００９０】
また、エラーページがある場合に、自動画像シフト、自動フィニッシング位置シフト、または自動画像縮小の修正内容で修正が可能であり、表示入力部２２０には、修正条件を指定するためのボタン２０６が表示される。このため、ボタン２０６を指示して修正条件を指定すれは、自動画像シフト、自動フィニッシング位置シフト、または自動画像縮小の修正内容で用紙の画像が加工位置と重なるのを回避することができる。
【００９１】
また、自動画像シフト、自動フィニッシング位置シフト、または自動画像縮小の修正内容で修正が可能なので、ユーザが細かな設定をする必要がない。このため、重なりを回避するための設定を簡単にすることができる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９３】
＜付記＞
（１）  前記位置変更手段は、前記プリントデータ生成手段に用紙に形成する画像の位置を変更させる画像形成位置変更手段を含む、請求項９に記載の画像処理装置。
（２）  前記位置変更手段は、前記画像データの解像度を低くする解像度変換手段を含む、請求項９に記載の画像処理装置。
（３）  前記位置変更手段は、前記加工指示により定まる加工位置を変更させる加工位置変更手段を含む、請求項９に記載の画像処理装置。
（４）  前記位置変更手段は、前記プリントデータ生成手段に用紙に形成する画像の位置を変更させる画像形成位置変更手段と、
前記画像データの解像度を低くする解像度変換手段と、
前記加工指示により定まる加工位置を変更させる加工位置変更手段と、
前記画像形成位置変更手段、前記解像度変換手段および前記加工位置変更手段の少なくとも１つの選択を受付ける変更指示受付手段とを含む、請求項９に記載の画像処理装置。
（５）  前記位置変更手段は、前記プリントデータ生成手段に用紙に形成する画像の位置を変更させる画像形成位置変更手段と、
前記画像データの解像度を低くする解像度変換手段と、
前記加工指示により定まる加工位置を変更させる加工位置変更手段と、
前記画像データに応じて、前記画像形成位置変更手段、前記解像度変換手段および前記加工位置変更手段の少なくとも１つを選択して提示する選択提示手段とを含む、請求項９に記載の画像処理装置。
（６）  前記判定手段は、前記画像位置と前記加工位置との重なり量を検出する検出手段を含み、
前記位置変更手段は、前記プリントデータ生成手段に用紙に形成する画像の位置を変更させる画像形成位置変更手段と、
前記画像データの解像度を低くする解像度変換手段と、
前記加工指示により定まる加工位置を変更させる加工位置変更手段と、
前記検出された重なり量に応じて、前記画像形成位置変更手段、前記解像度変換手段および前記加工位置変更手段の少なくとも１つを選択して提示する選択提示手段とを含む、請求項９に記載の画像処理装置。
【図面の簡単な説明】
【００９４】
【図１】本発明の実施の形態の１つにおけるデジタル複写機の概略構成を示す模式的断面図である。
【図２】デジタル複写機の制御部の詳細なハード構成を示すブロック図である。
【図３】本実施の形態におけるデジタル複写機で実行されるプリント処理の流れを示すフローチャートである。
【図４】デジタル複写機の上面に設けられる操作パネルの構成を説明するための平面図である。
【図５】図３のステップＳ１１で実行される加工状態画像表示処理の流れを示すフローチャートである。
【図６】修正条件指定画面の一例を示す図である。
【図７】図３のステップＳ１４で実行される修正処理の流れを示すフローチャートである。
【図８】プリントシステムの概略構成を示す図である。
【符号の説明】
【００９５】
１  デジタル複写機、２  コンピュータ、１０  画像読取部、２０  画像形成部、５０  後処理部、５１  ステープルユニット、５２  パンチユニット、６１〜６５  ビン、１００  制御部、１０１  ＣＰＵ、１０２  記憶部、１０４  入力画像処理部、１０５  出力画像処理部、１０６  後処理制御部、１０８  モデム、１０９  操作パネル、１０９Ａ  入力部、１０９Ｂ  表示部、１１０Ａ  ＩＣカード、２０１  加工状態画像、２２０  表示入力部、２３０  修正条件指定画面。
【図１】
2007034444.tif 000003
【図２】
2007034444.tif 000004
【図３】
2007034444.tif 000005
【図４】
2007034444.tif 000006
【図５】
2007034444.tif 000007
【図６】
2007034444.tif 000008
【図７】
2007034444.tif 000009
【図８】
2007034444.tif 000010